(57)【要約】【課題】弾性材で固定体とカバー体とを一体形成した場合に弾性材の耐久性を高め、カバーが緩んで本体から外れないようにする携帯端末保持用カバーを提供する。【解決手段】本体Ｐに装着する固定部１１とカバー部１２とを備えたカバー体１０を形成する。カバー体１０に手指差込口１３を形成する。手指差込口１３に差し込んだ手指をカバー部１２で押圧保持するように構成する。本体Ｐの側縁部に着脱自在に装着する固定部２１を備えた補強枠体２０を構成する。固定部２１をカバー体１０の固定部１１に重合する。補強枠体２０にてカバー体１０の固定部１１を本体Ｐの側縁部に装着する。【選択図】図１
2018019248.tif 000002
【特許請求の範囲】
【請求項１】
前面にタッチパネル方式の表示部を有する携帯端末の本体側縁部に着脱自在に装着する固定部と、該固定部から本体の裏面を被覆するカバー部とを弾性材にて一体に形成したカバー体を設け、該カバー体に形成した手指差込口の内側に差し込んだ手指をカバー部の弾性力で押圧保持するように構成した携帯端末保持用カバーにおいて、
本体の側縁部に着脱自在に装着する固定部を備えた補強枠体を構成し、該補強枠体の固定部をカバー体の固定部に重合して本体の側縁部に装着するように構成したことを特徴とする携帯端末保持用カバー。
【請求項２】
前記補強枠体は、前記固定部から延長された裏面被覆部を備え、裏面被覆部にて本体の裏面の一部を覆うように構成した請求項１記載の携帯端末保持用カバー。
【請求項３】
前記カバー体は、前記本体の左右側縁部に沿って裏面に係止する手指の少なくとも爪の一部を前記カバー部が押圧するように前記手指差込口を形成した請求項１記載の携帯端末保持用カバー。
【発明の詳細な説明】
【技術分野】
【０００１】
本発明は、スマートフォンやタブレット等のタッチパネル方式の表示画面を備えた携帯端末に装着して携帯端末を持ち易くする携帯端末保持用カバーに関する。
【背景技術】
【０００２】
スマートフォンやタブレットなど、タッチパネル方式の表示画面を備えた携帯端末に装着するカバーとして、例えば特許文献１に記載の携帯機器用保持具や、特許文献２に記載の携帯端末機用カバーなどが提案されている。
【０００３】
これらのカバーは、いずれもスマートフォンの裏側を被覆するカバー面を弾性体にて形成し、該カバー面に手指差込口を形成したものである。ところが、これらの手指差込口はいずれもカバー面の中央部に向けて大きく開口した形状であった。
【０００４】
すなわち、特許文献１に記載の手指差込口は互いに対向する側に向けて膨らむ円弧形を成しており、特許文献２に記載の手指差込口はＸ形の保持部に沿った形状を成すものである。そのため手指差込口に差し込んだ指は本体の裏面中央部分で保持されることになる。ところが、小さな手で大型画面のスマートフォンを操作する場合には、裏面中央部まで指を差し込んでしまうと、前面のタッチパネルに届く指の範囲が制限されることになる。
【０００５】
すなわち、大きな手であれば、裏面中央部分で支持しながら本体前面の操作に支障はないとしても、小さな手を裏面中央部分で支持すると、本体前面で操作可能な範囲が限られる不都合が生じてしまう。したがって、小さな手をカバーで保持しながら、操作可能な範囲を制限しないようにするには、本体の裏面中央ではなく、できるだけ本体の左右側縁部に近い部分で保持する必要があった。
【０００６】
そこで、当発明者はこのような不都合を解消すべく特許文献３に記載の携帯端末ホールド用カバーを発明している。このカバーでは、手指差込口の位置を本体の左右側縁部に近接する位置に設けることで、本体の左右側縁部に近い部分で指を保持することが可能になっている。その結果、小さな手が大型画面のスマートフォンを操作する場合でも操作が容易になるなど、携帯端末を持ち易くすると共に操作性を向上させることに成功した。
【先行技術文献】
【特許文献】
【０００７】
【特許文献１】特開２０１４‐１７９８３５号公報
【特許文献２】登録実用新案第３１７９６１４号公報
【特許文献３】特許第５８０６４２２号公報
【発明の概要】
【発明が解決しようとする課題】
【０００８】
特許文献１及び特許文献２に記載のカバーは、いずれも弾性体にて形成したものなのでこのカバーで手指を保持していると、カバーを形成している弾性材が次第に伸びてカバーの弾性力が失われる課題があった。例えば、携帯端末の角部に嵌合している部分や指を保持している部分などカバー全体が緩んでしまい、僅か数か月の使用で本体から外れるなど使用できなくなる虞もあった。
【０００９】
一方、当発明者による特許文献３に記載のカバーは、携帯端末の本体側縁部に着脱自在に装着される固定体と、該固定体から本体の裏面を被覆するカバー体とで構成する。すなわち、固定体は、合成樹脂材や金属材、ゴム材などで形成され、カバー体は全体又は一部が弾性材にて形成されたシート状を成すものである。したがって、固定体とカバー体とを弾性材で一体に形成することはもとより、固定体のみを別の材質で形成することも可能である。
【００１０】
ところが、固定体とカバー体とを弾性材で一体に形成した場合には、カバー全体に負荷が掛かることになる。そのため、手指差込口内に差し込んだ手指をカバー全体で押圧保持していると、固定体やカバー体の弾性材全体が緩んでしまい最悪の場合は携帯端末からカバーが外れる虞がある。
【００１１】
そこで本発明は上述の課題を解消すべく創出されたもので、手指差込口の内側に差し込んだ手指をカバー部の弾性力で押圧保持するように構成した携帯端末用カバーにおいて、固定体とカバー体とを弾性材で一体に形成した場合でもカバーの耐久性を著しく高めることが可能になり、手指差込口を頻繁に使用した場合でも携帯端末からカバーが外れないようにすることができる携帯端末保持用カバーの提供を目的とするものである。
【課題を解決するための手段】
【００１２】
上述の目的を達成すべく本発明における第１の手段は、前面にタッチパネル方式の表示部を有する携帯端末の本体Ｐ側縁部に着脱自在に装着する固定部１１と、該固定部１１から本体Ｐの裏面Ｐ１を被覆するカバー部１２とを弾性材にて一体に形成したカバー体１０を設け、該カバー体１０に形成した手指差込口１３の内側に差し込んだ手指をカバー部１２の弾性力で押圧保持するように構成した携帯端末保持用カバーにおいて、本体Ｐの側縁部に着脱自在に装着する固定部２１を備えた補強枠体２０を構成し、該補強枠体２０の固定部２１をカバー体１０の固定部１１に重合して本体Ｐの側縁部に装着するように構成したものである。
【００１３】
第２の手段の前記補強枠体２０は、前記固定部２１から延長された裏面被覆部２２と側縁被覆部２３とのいずれか一方又は両方を備え、裏面被覆部２２にて本体Ｐの裏面Ｐ１の一部を覆い、側縁被覆部２３にて本体Ｐの側縁部の一部を覆うように構成している。
【００１４】
第３の手段の前記カバー体１０は、前記本体Ｐの左右側縁部Ｐ３に沿って裏面Ｐ１に係止する手指の少なくとも爪の一部を前記カバー部１２が押圧するように前記手指差込口１３を形成するものである。
【発明の効果】
【００１５】
本発明の請求項１に記載のごとく、本体Ｐの側縁部に着脱自在に装着する固定部２１を備えた補強枠体２０を構成し、該補強枠体２０の固定部２１をカバー体１０の固定部１１に重合して携帯端末本体Ｐの側縁部に装着するように構成したことで、固定部１１とカバー部１２とを弾性材で一体に形成したカバー体１０を使用する場合でも、カバー体１０の固定部１１に補強枠体２０の固定部２１を重ねて装着しているので、カバー体１０の弾性力が低下しても、カバー体１０が緩んで本体Ｐから外れる虞を防止することができる。
【００１６】
しかも、カバー体１０の固定部１１に重ねた固定部２１により、カバー体１０の固定部１１を保護し、固定部１１が衝撃等を受けてめくりあがるなどといった思わぬ事故を防止するともできる。
【００１７】
請求項２のごとく、前記補強枠体２０は、前記固定部２１から延長された裏面被覆部２２と側縁被覆部２３とのいずれか一方又は両方を備え、裏面被覆部２２にて本体Ｐの裏面Ｐ１の一部を覆い、側縁被覆部２３にて本体Ｐの側縁部を覆うように構成したので、カバー体１０の固定部１１を強化する上に、カバー部１２の任意の位置を被覆強化することもできる。したがって、カバー体１０の耐久性を更に高めることができる。
【００１８】
請求項３に記載のように、前記カバー体１０は、前記本体Ｐの左右側縁部Ｐ３に沿って裏面Ｐ１に係止する手指の少なくとも爪の一部を前記カバー部１２が押圧するように前記手指差込口１３を形成したことで、本体Ｐ裏側の任意の位置で指を保持することが可能になり、携帯端末の操作性を向上させることができる。
【図面の簡単な説明】
【００１９】
【図１】本発明の一実施例を示す分解斜視図である。
【図２】本発明の一実施例を示す斜視図である。
【図３】本発明の使用状態を示す斜視図である。
【発明を実施するための形態】
【００２０】
本発明は、スマートフォンやタブレット等のタッチパネル方式の表示画面を備えた携帯端末の本体Ｐ裏側に装着するもので、本体Ｐを持ち易くするカバーである。本発明の基本構成は、カバー体１０と補強枠体２０とで構成される（図１参照）。
【００２１】
カバー体１０は、弾性材にて一体形成される被覆部材であり、固定部１１、カバー部１２、手指差込口１３を備えている。そして、本体Ｐの側縁部に着脱自在に装着して裏面Ｐ１の一部又は全面を被覆する。この弾性材は、例えば、シリコンゴム、ウレタンゴム等の各種ゴム材や、ＴＰＵ等の軟質合成樹脂材等の選択が可能である。また、ゴム材等を編み込んだ布状物で形成することも可能であり、この他、手指を押圧保持する性質のある任意の弾性材を自由に選択することができる。
【００２２】
固定部１１は、本体Ｐの側縁部に装着してカバー体１０を固定する部位である。図示例では、本体Ｐの周側縁全体を囲む固定部１１を設けている（図１参照）。固定部１１の形状は、この他、本体Ｐの上下端部Ｐ２や左右側縁部Ｐ３に係止する固定部１１など、装着位置や装着手段は任意に選択することができる。また、この固定部１１は、後述する補強枠体２０の固定部２１を重ねて固定する部位である。したがって、固定部１１のみでは固定機能のないような、例えば本体Ｐの側縁部に重ねるだけの固定部１１を形成することも可能である。
【００２３】
カバー部１２は、本体Ｐの裏面Ｐ１を被覆しながら手指を押圧する押圧部位である。このカバー部１２は、裏面Ｐ１の全体又は一部を覆うように形成することができる。図示例では、本体Ｐの裏面Ｐ１に矩形状に形成している（図１参照）。この外、カバー部１２は、裏面Ｐ１全体に形成することも可能であり、カバー部１２の形状は任意に変更することができる。
【００２４】
更に、手指差込口１３は、カバー部１２の内側に手指を差込む開口部位である。この手指差込口１３の位置は、基本的にカバー体１０の任意の位置を選択することが可能である。図示例では、固定部１１とカバー部１２との境界部分に手指差込口１３を設けることで、カバー部１２が本体Ｐの左右側縁部Ｐ３に沿った近接位置で手指を押圧保持する位置に手指差込口１３を形成してある（図３参照）。また、本体Ｐの左右側縁部Ｐ３に重なるように手指差込口１３を設けることも可能である。このような位置に手指差込口１３を形成することで、指先が裏面Ｐ１のどの位置にあっても、カバー体１０の弾性力で押圧できるようにしている。
【００２５】
すなわち、スマートフォン等の携帯端末では、本体Ｐを持った手で表示画面をタッチ操作する場合がある。この場合、操作位置に応じて本体１０の裏面を保持する手指の位置を変えることがある。そのため、携帯端末を持つ手指を本体Ｐの中央部分から左右側縁部Ｐ３に近づいた位置に変更しても、この指を常にカバー体１０の弾性力で押圧保持していると、本体Ｐの操作性を著しく向上させることができる。そこで、カバー体１０に形成する手指差込口１３の位置として、本体Ｐの左右側縁部Ｐ３に沿って裏面Ｐ１に係止する手指の少なくとも爪の一部をカバー部１２が押圧する位置に手指差込口１３を形成することで指先が裏面Ｐ１のどの位置にあっても、カバー部１２の弾性力で常に手指を保持することが可能になる。
【００２６】
更に、このカバー体１０において、固定部１１やカバー部１２が、本体Ｐに設けられているカメラや操作ボタンＰ４等に重なり支障が生じる場合には、重なる位置に開口部１４や切欠部等を形成する（図１参照）。また、操作ボタンＰ４等に特に支障がない場合は重ねた状態でも良い。
【００２７】
一方、補強枠体２０は、カバー体１０の固定部１１に重合して本体Ｐに圧着するように装着する部材であるから、カバー体１０よりも硬度の高い材質が好ましい。例えば、硬質プラスチック材や軟質プラスチック材等の合成樹脂材の他、アルミニウム等の金属材を選択することもできる。また弾性力の強い弾性材を補強枠体２０に使用することも可能であり、更に複数種類の材質を組み合わせることも可能である。
【００２８】
図示の補強枠体２０は、本体Ｐの周側縁全体に装着する固定部２１を備えている（図１参照）。そして、この固定部２１をカバー体１０の固定部１１に重合して携帯端末本体Ｐの側縁部に圧着固定する（図２参照）。
【００２９】
本発明において、本体Ｐの側縁部とは、本体Ｐの上下端部Ｐ２から該上下端部Ｐ２に隣接する左右側縁部Ｐ３までを含む周側縁全体を示し、固定部２１の装着位置は、これらの範囲から自由に選択できるものである。したがって、図示例のように本体Ｐの側縁部全体に装着する固定部２１や、本体Ｐの角部のみに装着する固定部２１であっても良い。
【００３０】
更に、補強枠体２０には、固定部２１から延長された裏面被覆部２２を形成している（図１参照）。裏面被覆部２２は、本体Ｐの裏面Ｐ１の一部を覆う部位である。すなわち、この裏面被覆部２２は、本体Ｐ裏面Ｐ１に位置するカバー体１０の固定部１１やカバー部１２を被覆するように形成するほか、カバー体１０を介さずに本体Ｐ裏面Ｐ１を直接被覆するように形成しても良い。また、補強枠体２０の形状は、この裏面被覆部２２を形成せずに、本体Ｐの側縁部全体を囲む固定部２１のみで文字通りの枠形状に形成することも可能である。
【００３１】
そして、補強枠体２０の固定部２１をカバー体１０の固定部１１に重ねて本体Ｐの側縁部に装着する（図２参照）。図示例では、補強枠体２０の固定部２１をカバー体１０の固定部１１に重ねた際に、この重合部分が他の部分より肉厚にならないようにするため、カバー体１０の固定部１１の厚みを薄く形成している（図１参照）。また、この固定部１１の強度を高めるため敢えて肉厚に形成することも可能である。
【００３２】
図示の補強枠体２０には、本体Ｐの左右側縁部Ｐ３に沿って指掛け部２３を設けている（図１参照）。この指掛け部２３は、本体Ｐの裏面Ｐ１を保持する指が本体Ｐの左右側縁部Ｐ３付近を保持する際に、指掛け部２３に指先が掛かるように構成したものである。図示の指掛け部２３は、裏面被覆部２２の側縁に形成している（図３参照）。この位置に指掛け部２３を形成することで、手指差込口１３に挿入した指を指掛け部２３にも係止できることになり、指掛け部２３とカバー部１２とによる相乗効果で、たとえ１本の指を挿入した場合でも、操作等に十分な保持力が得られる。
【００３３】
また、補強枠体２０においても、前述のカバー体１０と同様に、固定部２１や裏面被覆部２２が、本体Ｐに設けられているカメラや操作ボタンＰ４等に重なる場合には、この重なる部分に開口部２４や切欠部等を形成する（図１参照）。
【００３４】
更に、図示していないが、カバー体１０と補強枠体２０との重合部分に、該重合部分を相互に固定する面固定部を形成することができる。この面固定部の構成として、例えば、凸部及び凹部から成る面固定部相互を嵌合することで、カバー体１０と補強枠体２０との重合面を固定することができる。このような面固定部を形成すると、手指差込口１３に手指を挿入したときに、カバー部１２は面固定部を起点として伸びるようになり、カバー体１０の固定部１１に与える伸縮時の負荷を分散することができる。また、この面固定部の固定手段は嵌合手段の外、接着剤により接着固定することも可能である。
【００３５】
尚、本発明の構成は、図示例に限定されるものではなく、本発明の要旨を変更しない範囲での設計変更は自由に行えるものである。
【符号の説明】
【００３６】
Ｐ    本体
Ｐ１  裏面
Ｐ２  上下端部
Ｐ３  左右側縁部
Ｐ４  操作ボタン
１０  カバー体
１１  固定部
１２  カバー部
１３  手指差込口
１４  開口部
２０  補強枠体
２１  固定部
２２  裏面被覆部
２３  指掛け部
２４  開口部
【図１】
2018019248.tif 000003
【図２】
2018019248.tif 000004
【図３】
2018019248.tif 000005
【手続補正書】
【提出日】平成28年10月13日(2016.10.13)
【手続補正１】
【補正対象書類名】特許請求の範囲
【補正対象項目名】請求項１
【補正方法】変更
【補正の内容】
【請求項１】
前面にタッチパネル方式の表示部を有する携帯端末の本体側縁部に着脱自在に装着する固定部と該固定部から本体の裏面を被覆するカバー部とを弾性材にて一体に形成したカバー体と、本体の側縁部に着脱自在に装着する固定部を備えた補強枠体と、で構成され、該補強枠体の固定部は前記カバー体の固定部に重合して本体の側縁部に装着するように構成されたことを特徴とする携帯端末保持用カバー。
【手続補正２】
【補正対象書類名】明細書
【補正対象項目名】００１２
【補正方法】変更
【補正の内容】
【００１２】
上述の目的を達成すべく本発明における第１の手段は、前面にタッチパネル方式の表示部を有する携帯端末の本体Ｐ側縁部に着脱自在に装着する固定部１１と該固定部１１から本体Ｐの裏面Ｐ１を被覆するカバー部１２とを弾性材にて一体に形成したカバー体１０と、本体Ｐの側縁部に着脱自在に装着する固定部２１を備えた補強枠体２０と、で構成され、該補強枠体２０の固定部２１はカバー体１０の固定部１１に重合して本体Ｐの側縁部に装着するように構成されたものである。
【手続補正書】
【提出日】平成28年10月14日(2016.10.14)
【手続補正１】
【補正対象書類名】特許請求の範囲
【補正対象項目名】請求項１
【補正方法】変更
【補正の内容】
【請求項１】
前面にタッチパネル方式の表示部を有する携帯端末の本体側縁部に着脱自在に装着する固定部と該固定部から本体の裏面を被覆するカバー部とを弾性材にて一体に形成したカバー体と、本体の側縁部に着脱自在に装着する固定部を備えた補強枠体と、で構成された携帯端末保持用カバーであって、カバー体に手指差込口が形成され、該手指差込口の内側に差し込んだ手指を前記カバー部の弾性力で押圧保持するように構成され、補強枠体の固定部は、前記カバー体の固定部に重合して本体の側縁部に装着するように構成されたことを特徴とする携帯端末保持用カバー。
【手続補正２】
【補正対象書類名】明細書
【補正対象項目名】００１２
【補正方法】変更
【補正の内容】
【００１２】
上述の目的を達成すべく本発明における第１の手段は、前面にタッチパネル方式の表示部を有する携帯端末の本体Ｐ側縁部に着脱自在に装着する固定部１１と該固定部１１から本体Ｐの裏面Ｐ１を被覆するカバー部１２とを弾性材にて一体に形成したカバー体１０と、本体Ｐの側縁部に着脱自在に装着する固定部２１を備えた補強枠体２０と、で構成され、カバー体１０に手指差込口１３が形成され、該手指差込口１３の内側に差し込んだ手指を前記カバー部１２の弾性力で押圧保持するように構成され、補強枠体２０の固定部２１は、前記カバー体１０の固定部１１に重合して本体Ｐの側縁部に装着するように構成されたものである。